(57)【要約】【課題】より確実に処理結果の管理が可能な情報処理装置を提供する。【解決手段】ユーザからジョブの実行指示を受け付けると、制御部１０６は、受け付けたジョブがトラッキング対象のジョブか否かを判断する。トラッキング対象のジョブであると判断されると、トラッキング情報生成部１２２はトラッキング情報を生成する。トラッキング情報が生成されると、機密化処理部１１０はトラッキング情報に対して公開鍵暗号化方式に基づく電子署名処理および暗号化処理を実行し、制御部１０６は機密化処理されたトラッキング情報をトラッキング情報記録部１３０またはトラッキングサーバ３００に記録する。トラッキング情報の記録が正常に終了したと判断されると、制御部１０６はジョブ処理部１０８を制御してユーザから指示されたジョブを実行する。【選択図】図１
2005210345.tif 000002
【特許請求の範囲】
【請求項１】
対象データに対して指定されたジョブを実行する情報処理装置において、
ジョブの指定を受け付けるインターフェース部と、
前記指定されたジョブの態様を示すトラッキング情報を生成するトラッキング情報生成部と、
前記トラッキング情報の記録処理が施されてから前記指定されたジョブを遂行するジョブ処理部と、
を有することを特徴とする情報処理装置。
【請求項２】
請求項１に記載の情報処理装置において、
トラッキング対象となるジョブタイプを設定するトラッキング対象設定部を有し、
前記トラッキング情報生成部は、前記指定されたジョブがトラッキング対象である場合にトラッキング情報を生成する
ことを特徴とする情報処理装置。
【請求項３】
請求項１または請求項２に記載の情報処理装置において、
前記トラッキング情報は、ジョブの実行開始時点に対応した日時、ジョブを指定したユーザのユーザ名および指定されたジョブのジョブ名のうちの少なくとも１つを含む、
ことを特徴とする情報処理装置。
【請求項４】
請求項１から３のいずれか１項に記載の情報処理装置において、
前記トラッキング情報は、ジョブの対象データに関するサムネイルを含む、
ことを特徴とする情報処理装置。
【請求項５】
請求項１から４のいずれか１項に記載の情報処理装置において、
前記トラッキング情報が記録されるトラッキング情報記録部、
をさらに有することを特徴とする情報処理装置。
【請求項６】
請求項１から５のいずれか１項に記載の情報処理装置において、
前記トラッキング情報は、ネットワークを介して前記情報処理装置に接続されたトラッキングサーバに記録される、
ことを特徴とする情報処理装置。
【請求項７】
請求項１から６のいずれか１項に記載の情報処理装置において、
前記トラッキング情報に対して、電子署名処理および暗号化処理のうちの少なくとも１つを施す機密化処理部、
をさらに有することを特徴とする情報処理装置。
【請求項８】
情報処理装置が実行する動作処理方法であって、
ジョブの指定を受け付けるジョブ受付ステップと、
前記指定されたジョブの態様を示すトラッキング情報を生成するトラッキング情報生成ステップと、
前記トラッキング情報の記録処理を施す記録処理ステップと、
前記トラッキング情報の記録処理が施されてから前記指定されたジョブを遂行するジョブ処理ステップと、
を含むことを特徴とする動作処理方法。
【発明の詳細な説明】
【技術分野】
【０００１】
本発明は、例えば、プリンタ機能、コピー機能、スキャナ機能およびファックス機能などのうち、１つまたは複数の機能を備えたマルチファンクション機などの情報処理装置に関する。
【背景技術】
【０００２】
パーソナルコンピュータ（ＰＣ）やデジタルカメラなどのデジタルデータの利用拡大により、ＰＣで作成した文書やデジタルカメラで撮影した画像などをプリントするためのプリンタの需要が拡大し、これに伴って種々のプリンタが提案されている。中でも近年では、プリンタ機能に加えてコピー機能、スキャナ機能、及びファックス機能などの多くの機能を兼ね揃えた多機能プリンタ（マルチファンクション機：ＭＦ機）が提案されている。
【０００３】
ＭＦ機は、複数のユーザにより共用されるのが一般的である、つまり、ネットワークを介して複数のＰＣがＭＦ機に接続され、複数のユーザが一つのＭＦ機を共用する利用形態が一般的である。このように、ネットワークに接続された利用環境下では、ＭＦ機で利用される文書データなどの情報管理が重要になる。
【０００４】
米国では「医療保険の携行性と責任に関する法律」ＨＩＰＡＡ(Health Insurance Portability and Accountability Act)が施行され、個人情報の保護を盛り込んだ法律が制定され、医療関連組織においてカルテなどの個人情報の開示について厳格な管理がなされることが要求されている。従って、医療機関においてＭＦ機を利用する場合、利用者の故意またはミスにより、カルテのスキャン文書などが組織外に誤送信または不正送信された場合、それは、プライバシー保護の観点から大きな問題となる。このため、ＭＦ機で実行されるコピー、プリント、ＦＡＸ送信などの処理結果として出力される文書や画像が不正に出力されていないかどうかを管理したいという要求がある。
【０００５】
このように、ＭＦ機の処理結果の管理を行いたいという要求は企業においても同様である。つまり、企業内の機密情報や重要情報のスキャン文書が、企業内の社員の故意またはミスにより、社外に誤送信または不正送信された場合、それは、社内機密保護の観点から大きな問題となる。
【０００６】
処理結果を管理する例として、特許文献１および特許文献２に記載の装置が挙げられる。特許文献１および特許文献２に記載の装置は、装置から出力されるスキャン画像や印刷画像上に電子透かしなどを施して、出力操作を行ったユーザや出力した装置を特定可能にする情報を付加している。しかし、特許文献１や特許文献２に記載の装置は、紙幣偽造などの犯罪行為を抑止するのに効果を発揮するものの、不正出力を行ったユーザや装置と出力されたスキャン画像や印刷画像の内容まで特定することができない。
【０００７】
【特許文献１】特開平１０−２８５３８１号公報
【特許文献２】特開２００１−３２８３２４号公報
【発明の開示】
【発明が解決しようとする課題】
【０００８】
従来のＭＦ機において処理結果を管理するものとして、例えば、ＭＦ機からスキャンメール送信などのメール送信処理を実行する場合に、自動的に機器管理者のメールアドレスをＢＣＣ（Blind Carbon Copy）に設定する装置が知られている。これにより機器管理者は、ユーザがどのような文書をどこに送信したのかを管理できる。
【０００９】
しかしながら、従来のＭＦ機による処理結果の管理は、スキャンメール送信などのメール送信処理を対象とするものであり、コピー、プリント、ＦＡＸ送信などのメール送信処理を伴わない処理を対象とするものではない。また、従来のＭＦ機では、機器管理者に対して利用者が送信した文書と同じものが転送されるため、機器管理者側が保管管理するデータサイズが膨大になり、これらを確認するのが大変であるという問題もあった。さらに、不正ユーザがジョブ実行直後にネットワークケーブルを抜くなどして機器管理者へのＢＣＣ転送を妨害することで、処理結果の管理ができなくなるといった脆弱性があった。
【００１０】
そこで本発明は、より確実に処理結果の管理が可能な情報処理装置を提供することを目的とする。
【課題を解決するための手段】
【００１１】
上記目的を達成するために、本発明の好適な態様である情報処理装置は、対象データに対して指定されたジョブを実行する情報処理装置において、ジョブの指定を受け付けるインターフェース部と、前記指定されたジョブの態様を示すトラッキング情報を生成するトラッキング情報生成部と、前記トラッキング情報の記録処理が施されてから前記指定されたジョブを遂行するジョブ処理部と、を有することを特徴とする。
【００１２】
この構成において、トラッキング情報は、ジョブの実行開始時点に対応した日時、ジョブを指定したユーザのユーザ名、指定されたジョブのジョブ名、ジョブの対象データに関するサムネイルなど、例えば機器管理者が、情報処理装置で実行されたジョブの処理内容を後に把握できるような情報が含まれる。この構成によれば、トラッキング情報の記録処理が施されてから指定されたジョブが遂行されるため、より確実にトラッキング情報の記録が可能になる。
【００１３】
望ましくは、トラッキング対象となるジョブタイプを設定するトラッキング対象設定部を有し、前記トラッキング情報生成部は、前記指定されたジョブがトラッキング対象である場合にトラッキング情報を生成することを特徴とする。望ましくは、前記トラッキング情報が記録されるトラッキング情報記録部をさらに有することを特徴とする。望ましくは、前記トラッキング情報は、ネットワークを介して前記情報処理装置に接続されたトラッキングサーバに記録される、ことを特徴とする。望ましくは、前記トラッキング情報に対して、電子署名処理および暗号化処理のうちの少なくとも１つを施す機密化処理部をさらに有することを特徴とする。
【００１４】
また、上記目的を達成するために、本発明の好適な態様である動作処理方法は、情報処理装置が実行する動作処理方法であって、ジョブの指定を受け付けるジョブ受付ステップと、前記指定されたジョブの態様を示すトラッキング情報を生成するトラッキング情報生成ステップと、前記トラッキング情報の記録処理を施す記録処理ステップと、前記トラッキング情報の記録処理が施されてから前記指定されたジョブを遂行するジョブ処理ステップと、を含むことを特徴とする。
【発明の効果】
【００１５】
より確実に処理結果の管理が可能な情報処理装置を提供することができる。
【発明を実施するための最良の形態】
【００１６】
以下、本発明の好適な実施形態を図面に基づいて説明する。
【００１７】
図１には、本発明の好適な実施形態が示されており、図１は、情報処理装置であるマルチファンクション機を含むネットワークシステムの構成図である。
【００１８】
マルチファンクション機（ＭＦ機）１００は、複数のコンピュータ（ＰＣ）２００ａ，２００ｂに接続されている。つまり、複数のユーザがＰＣ２００ａ，２００ｂを介してＭＦ機１００を利用できるローカルエリアネットワークが構成され、例えば、ある企業内においてその企業内の複数のユーザによりＭＦ機１００が共有される。さらに、ＭＦ機１００はトラッキングサーバ３００に接続される。トラッキングサーバ３００には、ＭＦ機１００で実行されるジョブのトラッキング情報が記録される。トラッキング情報とは、機器管理者が、ＭＦ機１００で実行されたジョブの処理内容を後に把握できるような情報である。なお、トラッキング情報については後に図２を利用して詳述する。
【００１９】
さらに、ＭＦ機１００は、インターネット６００を介して社外ＰＣ４００や社外ＭＦ機５００に接続され、ＭＦ機１００で利用される文書データや画像データは、社外ＰＣ４００や社外ＭＦ機５００へ転送することができる。
【００２０】
ＭＦ機１００の内部構成は次のとおりである。印刷部１０２は制御部１０６により制御されており、ＭＦ機１００の外部から入力された印刷対象データに基づいて印刷を行う。この印刷部１０２は、例えば、カラー画像を形成する場合には、色毎に対応した色材画像を形成する複数の色材画像形成ユニットと中間転写体とを備え、例えば、通信インターフェース１４０を介して入力された印刷対象ドキュメントに基づいて色材画像形成ユニットによってそれぞれ形成される色材画像を中間転写体上に重ね合わせて転写することにより、カラー画像を形成する構成とすることができる。なお、本発明はこの構成に限られるものではない。
【００２１】
スキャナ部１０４は、従来周知の構成であるので詳細な説明は省略するが、ＣＣＤラインセンサ等の画像読取部を備え、紙やフィルムなどの記録媒体に記録された原稿画像を読み取ってデジタルデータに変換し、このデジタルデータを、印刷部１０２から出力したり、通信インターフェース部１４０から送信したり、対象データ記録部１３２に記録したりする。デジタルデータは、通信インターフェース１４０を経由してＰＣ２００ａ，２００ｂへ出力されてもよい。
【００２２】
制御部１０６は、予め記憶されたプログラムに従ってＭＦ機１００の動作を制御する。このプログラムには、ＭＦ機１００全体の動作をコントロールする情報が記述され、制御部１０６はＭＦ機１００の各部をその情報に従って制御する。操作パネル１４２は、ＭＦ機１００の動作状況やモードの選択画面などを表示するとともに、ユーザからの操作を受け付ける。ユーザは、操作パネル１４２を介して、プリンタ枚数や挿入ページ条件やプリント条件などの各種処理条件を設定するなど、ＭＦ機１００の各種設定を行うことができる。ユーザが行った操作は、操作パネル１４２から制御部１０６へ伝えられる。
【００２３】
通信インターフェース１４０は、ローカルエリアネットワークを介してＰＣ２００ａ，２００ｂおよびトラッキングサーバ３００に接続され、また、インターネット６００を介して社外ＰＣ４００や社外ＭＦ機５００に接続され、印刷対象データや各種情報を受け渡しする。ユーザはＰＣ２００ａ，２００ｂを介してＭＦ機１００に操作指示を行うこともできる。
【００２４】
ジョブ処理部１０８は、制御部１０６により制御され、操作パネル１４２や通信インターフェース１４０を介して入力されるユーザからの指示に基づいて、指示されたジョブを実行する。ジョブとは、例えば、スキャナ部１０４で読み取った対象データ（文書データ、画像データなど）を紙に複写して出力するコピーや、ＰＣ２００ａ，２００ｂから入力される対象データを印刷部１０２で印刷するプリントなどが挙げられる。また、ＭＦ機１００で利用される対象データをＭＦ機１００の外部へ送信するジョブもある。例えば、スキャナ部１０４で読み込んだ対象データを、メールに添付して送信するスキャンメール送信、対象データを外部のプリンタに送信するリモートコピーなどである。対象データは、スキャナ部１０４で読み込まれて直接送信されるか、あるいは、対象データ記録部１３２に一度記録されてから送信される。送信先は、スキャンメール送信であればＰＣ２００ａ，２００ｂや社外ＰＣ４００であり、リモートコピーであればプリンタ機能を有する社外ＭＦ機５００や図示しないプリンタなどである。
【００２５】
トラッキング情報生成部１２２は、ジョブ処理部１０８で実行されるジョブのトラッキング情報を生成する。
【００２６】
図２は、トラッキング情報を説明するための図である。以下、図２を利用してトラッキング情報について説明する。なお、図１に記載した部分には図１の符号を付して説明する。図２に示されるように、トラッキング情報１２０には、ジョブを実行した実行日時、ジョブを実行した利用者名が記録され、さらに、ジョブ名、ジョブ関連情報、出力データが記録される。トラッキング情報は、これを必要とするジョブについてジョブごとに生成される。
【００２７】
ジョブ名には、ユーザから指定されジョブ処理部１０８が実行するジョブのジョブ名が記録される。ジョブ処理部１０８で実行されるジョブとしては、前述のとおり、コピー、プリント、スキャンメール送信、リモートコピーなどが挙げられる。もちろん、この他のジョブが存在してもよい。
【００２８】
ジョブ関連情報には、ジョブの実行に関連する様々な情報が記録される。例えば、メール送信を伴うジョブであれば送信先のメールアドレスが記載され、コピーやプリントといった紙出力を伴うジョブであれば出力枚数などが記載される。実行されるジョブに応じてこれら以外の情報を記録してもよい。
【００２９】
出力データとは、ジョブの対象となる対象データに対応している。つまり、トラッキング情報に対象データが添付される。ただし、オリジナルの対象データに対して何らかのデータ加工処理を施してそのデータ量を削減することが望ましい。データ加工処理の例として、文書や画像などの対象データのサムネイル画像を作成する処理が挙げられる。もちろん、その他のデータ加工処理を実行してデータ量を削減してもよい。なお、データ量を削減するために、トラッキング情報１２０全体にデータ圧縮処理が施されてもよい。
【００３０】
図１に戻り、トラッキング情報生成部１２２で生成されたトラッキング情報は、トラッキング情報記録部１３０およびトラッキングサーバ３００の少なくとも一方に記録される。トラッキング情報記録部１３０は、例えば、取り外し可能なハードディスクで構成され、ＭＦ機の管理時間外には、機器管理者がＭＦ機からそのハードディスクを取り外し安全な保管庫に保管するような構成でもよい。あるいは、そのハードディスクをＭＦ機で利用する際に、カバーロックなどの物理的カバーでハードディスクが盗まれないように保護するとよい。機器管理者は、トラッキング情報記録部１３０またはトラッキングサーバ３００に記録されたトラッキング情報を参照することで、どのユーザが何時どのようなジョブを実行させたのかを知ることが可能になる。なお、トラッキングを必要とするジョブの種類（ジョブタイプ）を例えばユーザが操作パネル１４２を介して制御部１０６へ入力し、制御部１０６が入力されたジョブタイプをトラッキング情報生成部１２２に指定するトラッキング対象設定部として機能して、トラッキング情報生成部１２２においてトラッキング情報を生成する際に、実行されるジョブがトラッキング対象、つまりジョブタイプに適合するジョブである場合にのみトラッキング情報を生成する構成にしてもよい。
【００３１】
機密化処理部１１０は、トラッキングサーバ３００へ転送するトラッキング情報に対して、電子署名処理や暗号化処理を施す。電子署名や暗号化処理には、公開鍵暗号化方式が利用される。つまり、機密化処理部１１０は電子署名処理として、ＭＦ機１００の秘密鍵を利用してトラッキング情報に対して電子署名処理を施し、電子署名処理されたトラッキング情報がトラッキングサーバ３００へ送信される。そのトラッキング情報を取得したトラッキングサーバ３００は、ＭＦ機１００の公開鍵を利用して電子署名の検証処理を実行する。この結果、ＭＦ機１００からのトラッキング情報であることを確認してから、トラッキングサーバ３００にトラッキング情報を記録することができる。トラッキング情報に電子署名を施すことで、トラッキング情報が攻撃者により改ざんされていないことを確認することができる。
【００３２】
また、機密化処理部１１０は暗号化処理として、機器管理者またはトラッキングサーバ３００の公開鍵を利用してトラッキング情報に対して暗号化処理を施し、暗号化処理されたトラッキング情報をトラッキングサーバ３００へ送信する。そのトラッキング情報を取得したトラッキングサーバ３００は、暗号化処理に利用された公開鍵に対応する秘密鍵によってトラッキング情報の復号処理を実行する。この結果、トラッキングサーバ３００へ送信されるトラッキング情報の暗号化転送が可能になる。トラッキング情報を暗号化することで、攻撃者がネットワーク上でトラッキング情報を盗聴して対象データの内容を盗聴するのを防止することができる。
【００３３】
対象データ記録部１３２は、ジョブの対象となる文書データや画像データなどが記録される記憶領域である。つまり、印刷部１０２における印刷対象となるデータやスキャナ部１０４で読み取られたデータなどが記録される。なお、対象データ記録部１３２には、各ユーザごとに利用可能な領域として親展ボックスが設けられてもよい。つまり、例えばＰＣ２００ａを利用するユーザＡの親展ボックスや、ＰＣ２００ｂを利用するユーザＢの親展ボックスが構成される。各親展ボックスには対応するユーザのみがアクセス可能なように、パスワードなどでそのアクセスが制限される。もちろん、親展ボックスを複数のユーザによるグループ単位で設定し、そのグループに属するユーザのみがアクセスできるように構成してもよい。
【００３４】
制限情報記録部１３４は、ＭＦ機１００の動作制御に利用される制御データが記録される記憶領域である。制御データとは、例えば、ネットワーク接続動作に利用されるネットワーク設定データ、プリント機能の画質設定データなどである。制御データは、制御部１０６による動作制御に利用される。この制御データには、トラッキング有無データが含まれる。トラッキング有無データとは、ジョブ処理部１０８で実行される各ジョブに対して、そのジョブがトラッキング情報の生成および記録の対象ジョブであるか否かを示すデータである。例えば、コピー、プリント、スキャンメール送信、ＦＡＸ送信、親展ボックスからの文書取り出しなどのジョブがトラッキング対象とされ、スキャンデータの格納や親展ボックスへのデータ格納などのジョブがトラッキング対象外に設定される。トラッキング有無データは機器管理者によって登録される。
【００３５】
図３は、図１のＭＦ機１００によるジョブの実行処理を説明するためのフローチャートである。以下、図１に示した部分には図１の符号を付して、ＭＦ機１００によるジョブの実行動作を説明する。
【００３６】
ユーザからジョブの実行指示を受け付けると、制御部１０６は、受け付けたジョブがトラッキング対象のジョブか否かを判断する（Ｓ２０１）。つまり、制御部１０６は、制御情報記録部１３４に記録されたトラッキング有無データと、ユーザから指定されたジョブとを比較して、指定されたジョブがトラッキング情報の生成および記録の対象ジョブであるか否かを確認する。
【００３７】
Ｓ２０１でトラッキング対象のジョブではないと判断されると、制御部１０６は、ジョブ処理部１０８を制御して、ユーザから指示されたジョブを実行する（Ｓ２０７）。Ｓ２０１でトラッキング対象のジョブであると判断されると、トラッキング情報生成部１２２は、ジョブの対象データのサムネイルを作成する（Ｓ２０２）。つまり、対象データ記録部１３２からジョブの対象データを取得して、取得した対象データからそのサムネイルを作成する。また、トラッキング情報生成部１２２は、対象データのサムネイルを含むトラッキング情報（図２参照）を生成する（Ｓ２０３）。
【００３８】
トラッキング情報が生成されると、機密化処理部１１０は、トラッキング情報に対して公開鍵暗号化方式に基づく電子署名処理および暗号化処理を実行し（Ｓ２０４）、制御部１０６は機密化処理されたトラッキング情報をトラッキング情報記録部１３０またはトラッキングサーバ３００に記録する（Ｓ２０５）。トラッキング情報記録部１３０に記録する構成の場合、トラッキングサーバ３００が存在しなくてもよい。逆に、トラッキングサーバ３００に記録する構成の場合、トラッキング情報記録部１３０が存在しなくてもよい。なお、トラッキング情報記録部１３０はＭＦ機１００の内部に存在するため、トラッキング情報記録部１３０に記録されるトラッキング情報に対しては、機密化処理を省略してもよい。
【００３９】
そして、制御部１０６は、トラッキング情報の記録が正常に終了したか否かを確認する（Ｓ２０６）。トラッキング情報記録部１３０へ記録を行う構成の場合、トラッキング情報記録部１３０が取り外され、あるいは、トラッキング情報を蓄積するだけの容量が残されていない場合などに記録処理が正常に行われない。一方、トラッキングサーバ３００へ記録を行う構成の場合、トラッキングサーバ３００からトラッキング情報の記録完了通知を受け取るようにして、記録完了通知の有無によってトラッキング情報の記録が終了したか否かを判断してもよい。
【００４０】
Ｓ２０６でトラッキング情報の記録が正常に終了したと判断されると、制御部１０６はジョブ処理部１０８を制御して、ユーザから指示されたジョブを実行する（Ｓ２０７）。一方、Ｓ２０６でトラッキング情報の記録が正常に終了していないと判断されると、ユーザから指示されたジョブの実行が中止され（Ｓ２０８）、ジョブの実行が禁止された旨のエラー警告を行う（Ｓ２０９）。エラー警告は、例えば、操作パネル１４２やユーザがジョブの指示を行ったＰＣの画面上に表示される。
【００４１】
このように、本実施形態では、トラッキング情報の記録処理が施されてから指定されたジョブが実行されるため、より確実にトラッキング情報の記録が可能になる。例えば、ジョブ実行直後にトラッキング情報の転送妨害が行われるといった不正利用を防止できる。また、コピーやプリント出力といったメール送信を伴わないジョブに関しても、トラッキング情報が記録されるためジョブの管理が可能になる。さらに、データ圧縮や対象データのサムネイル化により、トラッキング情報のサイズが必要最小限に削減される。
【００４２】
以上、本発明の好適な実施形態を説明したが、上述した実施形態は、あらゆる点で単なる例示にすぎず、本発明の範囲を限定するものではない。例えば、ＭＦ機で実行されるジョブとして、親展プリントや親展ＦＡＸ受信といったジョブが存在する。親展プリントとは、ＰＣから印刷対象データをＭＦ機の親展ボックスへ記録しておき、ユーザがＭＦ機の設置場所に着いてから記録させた印刷対象データを印刷するジョブである。また、親展ＦＡＸ受信とは、受信したＦＡＸ対象データを親展ボックスへ記録しておき、ユーザがＭＦ機の設置場所に着いてから、記録させたＦＡＸ対象データを出力するジョブである。親展プリントや親展ＦＡＸ受信の場合には、親展ボックスへ対象データを記録した際にトラッキング情報を生成し、対象データの出力が行われる際にそのトラッキング情報の記録処理を実行する構成にしてもよい。
【図面の簡単な説明】
【００４３】
【図１】本発明に係るマルチファンクション機を含むネットワークシステムの構成を示す図である。
【図２】トラッキング情報を説明するための図である。
【図３】本発明に係るマルチファンクション機によるジョブの実行処理を説明するためのフローチャートである。
【符号の説明】
【００４４】
１００  マルチファンクション機、１０６  制御部、１１０  機密化処理部、１２２  トラッキング情報生成部、１３０  トラッキング情報記録部、３００  トラッキングサーバ。
【図１】
2005210345.tif 000003
【図２】
2005210345.tif 000004
【図３】
2005210345.tif 000005